(57)【要約】【課題】コネクタの誤接続を防止するとともに、発光出力を一定にすることを課題とする。【解決手段】光出力制御装置１００は、光コネクタを介して光伝送を行う光モジュールが通信状態であるか否かを判定し、光伝送装置が通信状態であると判定された場合には、ＬＥＤ１、２の組に対して、発光と受光を交互に行うように制御する。そして、光出力制御装置１００は、受光側のＬＥＤによって検出された発光側のＬＥＤの光強度に応じて、発光側のＬＥＤが一定の光強度で発光するように調整する。【選択図】        図１
2010239556.tif 000002
【特許請求の範囲】
【請求項１】
光伝送路を介して光伝送を行う光伝送装置が通信状態であるか否かを判定する通信状態判定部と、
前記通信状態判定部によって前記光伝送装置が通信状態であると判定された場合には、発光素子の組に対して、発光と受光を交互に行うように制御する発光受光切替制御部と、
受光側の発光素子によって検出された発光側の発光素子の光強度に応じて、発光側の発光素子が一定の光強度で発光するように調整する発光出力調整部と、
を備えることを特徴とする光出力制御装置。
【請求項２】
各原色を発光する発光素子の組に対して、各発光素子の発光強度の比率を変更し、光伝送路の発色を制御する発色制御部をさらに備えることを特徴とする請求項１に記載の光出力制御装置。
【請求項３】
プラガブル構造のデバイス先端部分に設置された発光素子と結合される透明の保護用コートをさらに備え、
前記発光受光切替制御部は、前記通信状態判定部によって前記光伝送装置が通信状態であると判定された場合には、前記保護用コートに結合された発光素子の組に対して、発光と受光を交互に行うように制御することを特徴とする請求項１または２に記載の光出力制御装置。
【請求項４】
光伝送路を介して光伝送を行う光伝送装置が通信状態であるか否かを判定する通信状態判定ステップと、
前記通信状態判定ステップによって前記光伝送装置が通信状態であると判定された場合には、発光素子の組に対して、発光と受光を交互に行うように制御する発光受光切替制御ステップと、
前記受光側の発光素子によって検出された発光側の発光素子の光強度に応じて、発光側の発光素子が一定の光強度で発光するように調整する発光出力調整ステップと、
を含んだことを特徴とする光出力制御方法。
【発明の詳細な説明】
【技術分野】
【０００１】
本発明は、光伝送路の通信状態を識別するための光を出力する光出力制御装置および光出力制御方法に関する。
【背景技術】
【０００２】
従来より、光伝送技術を用いた光伝送システムにおいて、光信号を伝送する光ファイバ伝送装置が知られている。このような光ファイバ伝送装置では、コネクタにより接続された光ファイバを介して光信号の伝送が行われている。
【０００３】
このような光ファイバ伝送装置では、図２０に示すように、保守や増設作業を実施する場合に、コネクタ着脱の作業が発生する。コネクタ着脱作業時に、装置上に配列された運用状態中のコネクタを間違って抜いてしまい、通信回線が誤って停止してしまう事故が発生する場合がある。
【０００４】
このため、コネクタの誤接続を防止する技術が実施されている（例えば、特許文献１、２）。具体的には、運用状態中のコネクタを発光して、誤って運用状態中のコネクタを抜いてしまうことを防止する技術が知られている（例えば、特許文献３参照）。例えば、コネクタを発光する技術として、ＬＥＤで運用状態中のコネクタを発光させて、コネクタの誤接続を防止することが考えられる。
【０００５】
なお、複数の決められた波長を有するＣＷＤＭ（coarse  wavelength  division  multiplexing）用光モジュールにおいて、図２１に示すように、光モジュールの部分的な部品であるラベルやレバーに対して、波長ごとに色分けする方法も知られている。
【先行技術文献】
【特許文献】
【０００６】
【特許文献１】特開平１０−１９７２３号公報
【特許文献２】特開昭６３−１８０９１８号公報
【特許文献３】実用新案登録第３１１２８３２号公報
【発明の概要】
【発明が解決しようとする課題】
【０００７】
ところで、上記したＬＥＤで運用状態中のコネクタを発光する技術では、ＬＥＤの発光強度に温度特性があるので、発光出力を一定にすることができないという課題があった。つまり、図２２に示すように、ＬＥＤの発光強度は、温度特性があることが知られており、時間とともに変化してしまうため、発光出力を一定にすることができないという課題があった。
【０００８】
なお、上記した光モジュールの部品に波長ごとに色分けする技術では、運用状態中のコネクタであるか判別することができないという課題があった。
【０００９】
そこで、この発明は、上述した従来技術の課題を解決するためになされたものであり、コネクタの誤接続を防止するとともに、発光出力を一定にすることを目的とする。
【課題を解決するための手段】
【００１０】
上述した課題を解決し、目的を達成するため、この装置は、光モジュールが通信状態であると判定された場合には、発光素子の組に対して、発光と受光を交互に行うように制御し、受光側の発光素子によって検出された発光側の発光素子の光強度に応じて、発光側の発光素子が一定の光強度で発光するように調整する。
【発明の効果】
【００１１】
開示の装置は、コネクタの誤接続を防止するとともに、発光出力を一定にすることができるという効果を奏する。
【図面の簡単な説明】
【００１２】
【図１】図１は、実施例１に係る光出力制御装置の構成を示すブロック図である。
【図２】図２は、光モジュールの通信状態を判定する処理を説明するための図である。
【図３】図３は、ＬＥＤの発光を交互に切替制御する処理を説明するための図である。
【図４】図４は、発光受光切替用発振回路を詳細に説明するための図である。
【図５】図５は、通信状態を示すＴＯＳＡの構成を説明するための図である。
【図６】図６は、通信状態を示すＲＯＳＡの構成を説明するための図である。
【図７】図７は、先端部における表示用ＬＥＤの構成例を示す図である。
【図８】図８は、ＬＥＤの発光切替制御および発光調整制御を説明するための回路構成図である。
【図９】図９は、可視波長と光通信波長との関係を示す図である。
【図１０】図１０は、実施例１に係る光出力制御装置の適用例を示す図である。
【図１１】図１１は、光ファイバのコネクタ例を説明するための図である。
【図１２】図１２は、実施例１に係る光出力制御装置の処理動作を示すフローチャートである。
【図１３】図１３は、実施例２に係る光出力制御装置の構成を示すブロック図である。
【図１４】図１４は、色の３原色による色相図である。
【図１５】図１５は、色彩を調整できる送信用ＬＤモジュールを説明するための図である。
【図１６】図１６は、波長と識別色の関係を示す図である。
【図１７】図１７は、波長表示を行う３色のＬＥＤ配置例を示す図である。
【図１８】図１８は、光モジュールの通信状態を判定する処理を説明するための図である。
【図１９】図１９は、実施例２に係る光出力制御装置の適用例を示す図である。
【図２０】図２０は、従来技術を説明するための図である。
【図２１】図２１は、従来技術を説明するための図である。
【図２２】図２２は、従来技術を説明するための図である。
【発明を実施するための形態】
【００１３】
以下に添付図面を参照して、この発明に係る光出力制御装置および光出力制御方法の実施例を詳細に説明する。
【実施例１】
【００１４】
以下の実施例では、実施例１に係る光出力制御装置の構成および処理の流れを順に説明し、最後に実施例１による効果を説明する。なお、以下の実施例１では、光通信用ファイバを介して光信号を送受信する光モジュールに光出力制御装置を適用する場合を説明する。
【００１５】
［光出力制御装置の構成］
まず最初に、図１を用いて、光出力制御装置１００の構成を説明する。図１は、実施例１に係る光出力制御装置１００の構成を示すブロック図である。同図に示すように、この光出力制御装置１００は、ＬＥＤ１、２、発光受光切換回路１０Ａ、１０Ｂ、受光回路２０Ａ、２０Ｂ、受光信号ホールド部３０Ａ、３０Ｂ、ＡＰＣ回路４０Ａ、４０Ｂ、発光回路５０Ａ、５０Ｂ、通信状態判定部６０、発光受光切換用発振回路７０、発光出力可変調整部８０を有し、光ファイバ外周の保護コートにＬＥＤを通じて可視光を伝送する。以下にこれらの各部の処理を説明する。
【００１６】
ＬＥＤ１、２は、電圧が加えられると発光する発光素子の組であり、時分割で発光を交互に行う。また、ＬＥＤ１、２は、発光していない時間には、受光動作を行う。
【００１７】
発光受光切換回路１０Ａ、１０Ｂは、発光または受光に切り替える旨の指示する切替信号を発光受光切換用発振回路７０から所定の時間ごとに受信し、切替信号を受信するたびにＬＥＤ１、２が交互に発光、受光を繰り返すように切り替える。
【００１８】
受光回路２０Ａ、２０Ｂは、対向のＬＥＤにおける出力安定化のため、対向するＬＥＤにおける「もれ光」の光強度を示す電圧を検出し、受光信号ホールド部３０Ａ、３０Ｂに入力して保持させる。受光信号ホールド部３０Ａ、３０Ｂは、受光回路２０Ａ、２０Ｂによって出力された対向のＬＥＤにおける光強度を示す電圧を保持する。
【００１９】
ＡＰＣ（Ａｕｔｏ  Ｐｏｗｅｒ  Ｃｏｎｔｒｏｌ）回路４０Ａ、４０Ｂは、受光信号ホールド部３０Ａ、３０Ｂに保持された対向のＬＥＤにおける光強度を示す電圧を取得する。そして、ＡＰＣ回路４０Ａ、４０Ｂは、取得された電圧に応じたフィードバック制御により交互に２つのＬＥＤの光出力を一定に制御させる制御信号を発光回路５０Ａ、５０Ｂに入力する。
【００２０】
発光回路５０Ａ、５０Ｂは、ＡＰＣ回路４０Ａ、４０Ｂによって出力された制御信号に応じて、ＬＥＤ１、２の光出力が一定となるように、ＬＥＤ１、２に電圧を加えて発光を制御する。
【００２１】
通信状態判定部６０は、光通信用ファイバを介して光信号を伝送する光モジュールが通信状態であるか否かを判定する。ここで、通信状態判定部６０の詳しい構成について説明する。図２は、光モジュールの通信状態を判定する処理を説明するための図である。
【００２２】
通信状態判定部６０は、図２に示すように、光通信用ファイバを介して受信した主信号を増幅する主信号増幅部６１と、主信号を受信したか否かを検出する検出部６２と、主信号を受信したことを検出した場合にＬＥＤ１が発光するように電圧を制御する光入力断警報部６３とを有する。
【００２３】
一方、通信状態判定部６０の光入力断警報部６３は、主信号を受信したことを検出できなかった場合には、電圧を加えるのを止めて、ＬＥＤ１が発光しないように制御する。
【００２４】
発光受光切換用発振回路７０は、光通信用ファイバを介して光信号を伝送する光モジュールが通信状態であると判定された場合には、ＬＥＤ１、２の組に対して、発光と受光を交互に行うように制御する。具体的には、発光受光切換用発振回路７０は、図３に示すように、ＬＥＤ１、２が時分割で交互に発光と受光を切り替るように制御する。また、ＡＰＣ回路４０Ａ、４０Ｂは、発光と受光を切り替ている際に、２つのＬＥＤの光出力を一定となるように制御を行っている。
【００２５】
ここで、図４を用いて、発光受光切換用発振回路７０の詳しい構成を説明する。図４は、発光受光切替用発振回路を詳細に説明するための図である。発光受光切換用発振回路７０は、ＬＥＤ１、２の発光から受光または受光から発光に切り替える旨を指示する切替信号を出力する発振器と、発振器から出力された切替信号を反転させて反転信号とを有する。
【００２６】
発光受光切換用発振回路７０では、反転回路が切替信号を反転させることにより、ＬＥＤ１側のスイッチ（ＳＷ）１、２とＬＥＤ側のスイッチ３、４のＯＮ／ＯＦＦが逆となる。また、スイッチ（ＳＷ）１、２は、ＬＥＤ１が受光時にはＯＮとなり、発光時にはＯＦＦとなる。また、スイッチ３、４は、ＬＥＤ２が受光時にはＯＦＦとなり、発光時にはＯＮとなる。なお、スイッチの配置については、後に図８を用いて詳述する。
【００２７】
発光出力可変調整部８０は、受光側のＬＥＤによって検出された発光側のＬＥＤの光強度に応じて、発光側の発光素子が一定の光強度で発光するように調整する。具体的には、発光出力可変調整部８０は、ＡＰＣ回路４０Ａ、４０Ｂから各ＬＥＤ１、２における光強度を示す電圧を取得し、電圧に応じて、各ＬＥＤ１、２の発光出力を設定して、各ＬＥＤ１、２が一定の光強度で発光するように調整する。
【００２８】
ここで、図５および図６を用いて、光出力制御装置１００がＬＥＤ１、２を発光することにより、通信状態をコネクタの発光により表示する例について説明する。図５は、通信状態を示すＴＯＳＡの構成を説明するための図である。図６は、通信状態を示すＲＯＳＡの構成を説明するための図である。
【００２９】
図５（１）に示すように、光出力制御装置１００をＴＯＳＡ（Transmitter  Optical  Sub  Assembly）に適用した場合に、デバイス先端部分にＬＥＤを設置し、動作または運用中に発光させるようにする。また、図５（２）に示すように、ＬＥＤは、正常に光通信用ファイバを介して光信号の送受信が行われている場合には、発光するようになっている。
【００３０】
また、発光ダイオードにて発光した信号は、透明の光ファイバ保護用コートに使用し、送信時のＬＥＤ光が光送出用光コネクタに伝達されるような構成がとられる。なお、透明の光ファイバ保護用コートに用いられる材料としては、ポリカーボネート、アクリル樹脂などがある。
【００３１】
光送出部の光コネクタは、全体または部分的に透明であり、そこから光伝送モジュールから伝送されたＬＥＤ光が正常な通信時においては発光することになり、光コネクタの周囲外観から通信状態を識別することができるので、誤ったコネクタ抜きが予防されることになる。
【００３２】
また、図６（１）（２）に示すように、光出力制御装置１００をＲＯＳＡ（Receiver  Optical  Sub  Assembly）に適用することもできる。光出力制御装置１００をＲＯＳＡに適用した場合については、図６（１）（２）に示すように、上述したＴＯＳＡに適用する場合と構成は同様である。
【００３３】
ここで、図７を用いて、通常の発光、受光におけるＬＥＤの配置例を説明する。図７は、先端部における表示用ＬＥＤの構成例を示す図である。図７（１）および図７（２）に例示するように、２つのＬＥＤ１、２は、対向に配置されている。また、光出力制御装置１００は、ＬＥＤ１、２が受光するときは、発光の漏れ光を用いるために内部が鏡面処理にて結合されている。
【００３４】
次に、図８を用いて、ＬＥＤ発光と受光の切替方法と出力安定化のブロック回路構成を示す。図８は、ＬＥＤの発光切替制御および発光調整制御を説明するための回路構成図である。図８に示すように、ＬＥＤ１側には、スイッチ（ＳＷ）１およびスイッチ２が設置され、ＬＥＤ２側には、スイッチ３、４が設置されている。このＬＥＤ１側のスイッチとＬＥＤ２側のスイッチは、交互にＯＮ／ＯＦＦが発振器からの信号により切り替わり、ＬＥＤ１とＬＥＤ２の受光と発光を交互に切り替える。
【００３５】
また、ＬＥＤ切り替えについては、受光時が受光回路に接続するアナログスイッチがＯＮとなり、オペアンプを通じて受光信号が出力される。このとき、ＬＥＤのカソードおよび送信用トランジスタは、カットオフ状態のコレクタが接続されているため、受光動作に影響を与えない。一方、ＬＥＤは、発光する際に、トランジスタのコレクタから電流が引込まれることで発光することになる。
【００３６】
また、受光信号ホールド部３０Ａは、ＬＥＤ２の光強度を保持し、受光信号ホールド部３０Ｂは、ＬＥＤ１の光強度を保持する。そして、ＡＰＣ回路４０Ａは、受光信号ホールド部３０ＡからＬＥＤ２の光強度を取得し、取得された電圧に応じたフィードバック制御により交互に２つのＬＥＤの光出力を一定に制御させる制御信号を発光回路５０Ｂに通知する。また、ＡＰＣ回路４０Ｂは、受光信号ホールド部３０ＢからＬＥＤ１の光強度を取得し、取得された電圧に応じたフィードバック制御により交互に２つのＬＥＤの光出力を一定に制御させる制御信号を発光回路５０Ａに通知する。
【００３７】
また、受光信号ホールド部３０では、対向側の受光したＬＥＤの受信信号について、送信に切り替わった場合でも保持する。そして、ＡＰＣ回路４０は、発光出力に基準となる電圧が接続され、２つのＬＥＤの光出力を一定に制御し、発光出力の安定化を実現する。
【００３８】
ここで、図９を用いて、可視波長と光通信波長との関係を説明する。図９は、可視波長と光通信波長との関係を示す図である。図９に示すように、ＬＥＤ１、２が発する可視光は、通信に用いる光線より波長が短いため、一般的に通信に用いられるＩｎＧａＡｓ−ＰＤには、感度がないため、受信に対して妨害を与えることがない。
【００３９】
次に、図１０および図１１を用いて、光出力制御装置１００の実際の適用例と、光出力制御装置に接続されるコネクタの例について説明する。図１０は、実施例１に係る光出力制御装置の適用例を示す図である。図１１は、光ファイバのコネクタ例を説明するための図である。
【００４０】
図１０に示すように、光出力制御装置１００が適用された光モジュールの光送信回路における送信用ＴＯＳＡ先端には、通信に用いる光ファイバが中央部に位置しており、ＬＥＤチップの結合が得られる。一方、通信状態を示す２つのＬＥＤの光は、図１０に示すように、ＴＯＳＡ先端の周囲に光ファイバを保護する透明の光ファイバコートに結合され、光モジュールの通信中において光コネクタが発光する。
【００４１】
また、図１１に例示するように、光ファイバが挿入されるコネクタは、透明なスリーブ、光ファイバの接続端子であるフェルール、ＬＥＤチップの周囲を保護する保護コート、光ファイバが挿入される保護チューブ、弾性力を有するバネ、光ファイバが挿入されるコネクタ構成部品とを有する。
【００４２】
［光出力制御装置による処理］
次に、図１２を用いて、実施例１に係る光出力制御装置１００による処理を説明する。図１２は、実施例１に係る光出力制御装置１００の処理動作を示すフローチャートである。
【００４３】
同図に示すように、光出力制御装置１００は、光モジュールが通信状態である場合には（ステップＳ１０１肯定）、光コネクタを発光させるために、二つのＬＥＤ１、２に対して発光と受光を交互に切り替えるように制御する（ステップＳ１０２）。
【００４４】
そして、受光側のＬＥＤは、対向のＬＥＤにおける出力安定化のため、「もれ光」による光強度の状態を電圧として検出し（ステップＳ１０３）、フィードバック制御により交互に二つのＬＥＤの光出力を一定にするように制御する（ステップＳ１０４）。
【００４５】
[実施例１の効果]
上述してきたように、光出力制御装置１００は、光コネクタを介して光伝送を行う光モジュールが通信状態であるか否かを判定し、光伝送装置が通信状態であると判定された場合には、ＬＥＤ１、２の組に対して、発光と受光を交互に行うように制御する。そして、光出力制御装置１００は、受光側のＬＥＤによって検出された発光側のＬＥＤの光強度に応じて、発光側のＬＥＤが一定の光強度で発光するように調整するので、コネクタの誤接続を防止するとともに、発光出力を一定にすることが可能である。
【００４６】
また、実施例１によれば、光出力制御装置１００は、プラガブル構造のデバイス先端部分に設置された発光素子と結合される透明の保護用コートを有し、光伝送装置１００が通信状態であると判定された場合には、保護用コートに結合された発光素子の組に対して、発光と受光を交互に行うように制御する。このため、伝送されたＬＥＤ光が正常な通信時においては発光することになり、光コネクタの周囲外観から通信状態を識別することができるので、誤ったコネクタ抜きを予防することが可能である。
【実施例２】
【００４７】
ところで、上記の実施例１では、二つのＬＥＤが光コネクタを発光または消光する場合を説明したが、本実施例はこれに限定されるものではなく、赤、緑、青の各三原色のＬＥＤを二つのペアとして、光コネクタの色彩を調整するようにしてもよい。
【００４８】
そこで、以下の実施例２では、赤、緑、青の各三原色のＬＥＤを二つのペアとして、光コネクタの色彩を調整する場合として、図１３〜図１９を用いて、図１３は、実施例２に係る光出力制御装置１００ａの構成を示すブロック図である。
【００４９】
図１３に示すように、実施例２に係る光出力制御装置１００ａは、赤、緑、青のＬＥＤをそれぞれ二組ずつ有する。また、光出力制御装置１００ａは、発光受光切替用発振回路７０ａ、赤ＬＥＤ発光調整制御部８０Ａ、緑ＬＥＤ発光調整制御部８０Ｂ、青ＬＥＤ発光調整制御部８０Ｃ、発色発光出力制御部９０を有する。
【００５０】
発光受光切替用発振回路７０ａは、光モジュールが通信状態であると判定された場合には赤、緑、青のＬＥＤの各二組に対して、発光と受光を交互に行うように制御する。赤、緑、青の各ＬＥＤ発光調整制御部８０Ａ〜８０Ｃは、赤、緑、青の各ＬＥＤの光強度を検出し、赤、緑、青の各ＬＥＤが一定の光強度で発光するように調整する。具体的には、発光出力可変調整部８０Ａ〜８０Ｃは、ＡＰＣ回路から赤、緑、青の各ＬＥＤにおける光強度を示す電圧を取得し、電圧に応じて、各赤、緑、青の各ＬＥＤの発光出力を設定して、赤、緑、青の各ＬＥＤが一定の光強度で発光するように調整する。
【００５１】
発色発光出力制御部９０は、赤、緑、青の各ＬＥＤの発光強度を制御して、光通信用コネクタの識別色を変更する。発色発光出力制御部９０は、図１４に示すように、３原色の三角形内における青、赤、緑各ＬＥＤの発光強度の調整により各色を出力制御することができる。
【００５２】
ここで、図１５を用いて、光出力制御装置１００ａが赤、緑、青の各ＬＥＤを発光することにより、コネクタの識別色を可変する例について説明する。図１５は、色彩を調整できる送信用ＬＤモジュールを説明するための図である。
【００５３】
図１５（１）に示すように、送信用ＬＤモジュールでは、ＴＯＳＡデバイス先端部分にＬＥＤを設置する。そして、図１５（２）に示すように、送信用ＬＤモジュールでは、固有の光送信波長により各ＬＥＤの電流比率を調整し、波長に応じた色彩を可変できるようにし、透明被覆の光ファイバ保護用コートに使用し、運用中においてはＬＥＤ光が光送出用光コネクタに伝達されるので、光コネクタの一部または全体が発行する。なお、図１６に示すように、複数の波長を有するＣＷＤＭ用光モジュールでは、通信する固定波長に対応する識別色が決められている。
【００５４】
ここで、図１７を用いて、波長表示を行う３色のＬＥＤ配置例を説明する。図１７は、波長表示を行う３色のＬＥＤ配置例を示す図である。図１７（１）および図１７（２）に例示するように、赤、青の各ＬＥＤそれぞれ２個が対向で配置し、発行と受光が交互に行われ、一定した発行強度が維持できるため、発行色は安定した状態で保持できる。
【００５５】
次に、図１８を用いて、光モジュールの通信状態を判定する処理を説明する。図１８は、光モジュールの通信状態を判定する処理を説明するための図である。光出力制御装置１００ａが適用され光モジュールでは、ＬＤ駆動回路が送信主信号入力の光出力が低下したことを検出すると、光出力低下警報が電流を停止する。一方、通常の送信主信号入力が行われている場合には、光出力制御装置１００ａが適用され光モジュールでは、３色ＬＥＤが通信状態を示す発光を行う。
【００５６】
次に、図１９を用いて、光出力制御装置１００ａの実際の適用例について説明する。図１９は、実施例２に係る光出力制御装置の適用例を示す図である。図１９に示すように、光出力制御装置１００ａが適用された光モジュールの光送信回路における送信用ＴＯＳＡにおいて、通信する固定波長に対応する識別色を発光する。発光ダイオードは、それぞれ赤、緑、青の各２個のＬＥＤチップが設置されており、これらのＬＥＤに流す電流を可変制御させることで、３原色の混合により発光色を変える。
【００５７】
発色については、モジュール外部からの制御用通信インタフェースにより、モジュール内部のＭＰＵに保持し、それをＤＡコンバータにより、赤、緑、青の各三原色の各ＡＰＣ回路により発光比率を可変させることで実現できる。なお、発光安定化については、光コネクタを透明とすれば、通状態を示す色の発光により通信状態と波長の把握が可能となる。
【００５８】
このように実施例２によれば、光出力制御装置１００ａは、各原色を発光するＬＥＤの組に対して、各ＬＥＤの発光強度の比率を変更し、光コネクタの発色を制御するので、通信する固定波長に対応する識別色が決められるとともに、一定した発行強度が維持でき、発行色を安定した状態で保持することが可能となる。
【実施例３】
【００５９】
さて、これまで本発明の実施例について説明したが、本発明は上述した実施例以外にも、種々の異なる形態にて実施されてよいものである。そこで、以下では実施例３として本発明に含まれる他の実施例を説明する。
【００６０】
（１）システム構成等
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、ＡＰＣ回路４０と発光出力可変調整部８０を統合してもよい。
【００６１】
（２）プログラム
なお、本実施例で説明した光出力制御方法は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【符号の説明】
【００６２】
１、２  ＬＥＤ
１０Ａ、１０Ｂ  発光受光切替回路
２０Ａ、２０Ｂ  受光回路
３０Ａ，３０Ｂ  受光信号ホールド部
４０Ａ、４０Ｂ  ＡＰＣ回路
５０Ａ、５０Ｂ  発光回路
６０  通信状態判定部
７０  発光受光切替用発振回路
８０  発光出力可変調整部
【図１】
2010239556.tif 000003
【図２】
2010239556.tif 000004
【図３】
2010239556.tif 000005
【図４】
2010239556.tif 000006
【図５】
2010239556.tif 000007
【図６】
2010239556.tif 000008
【図７】
2010239556.tif 000009
【図８】
2010239556.tif 000010
【図９】
2010239556.tif 000011
【図１０】
2010239556.tif 000012
【図１１】
2010239556.tif 000013
【図１２】
2010239556.tif 000014
【図１３】
2010239556.tif 000015
【図１４】
2010239556.tif 000016
【図１５】
2010239556.tif 000017
【図１６】
2010239556.tif 000018
【図１７】
2010239556.tif 000019
【図１８】
2010239556.tif 000020
【図１９】
2010239556.tif 000021
【図２０】
2010239556.tif 000022
【図２１】
2010239556.tif 000023
【図２２】
2010239556.tif 000024